(57)【要約】  比較的簡素な構成を有し、異なる光情報記録媒体に対して互換可能に情報の記録及び／又は再生を行える光ピックアップ装置を提供するために、第１の対物レンズＯＢＪ１の光学面を屈折面のみから形成し、ガラス製であっても低コストで形成できる。更に、第１の対物レンズＯＢＪ１は、波長λ１の第１光束と第１の光ディスクＯＤ１の保護層ｔ１とに対して最適化して設計ができる。一方、第２の対物レンズＯＢＪ２は、波長λ１の第１光束と波長λ２の第２光束とに対して共通に用いられるが、第２の光ディスクＯＤ２の保護層ｔ２と、第３の光ディスクＯＤ３の保護層ｔ３とが同じである場合、保護層厚の差を考慮する必要がなく、設計が容易であり低コストにできる。なお、第１光束と第２光束の波長差に基づく色収差は、ビームエキスパンダＥＸＰを変位させることで、第２の対物レンズＯＢＪ２への発散角を変化させることにより適切に補正することができる。
2007055166.tif 000002
【特許請求の範囲】
【請求項１】
波長λ１の光束を出射する第１光源と、波長λ２（λ１＜λ２）の光束を出射する第２光源と、前記第１光束及び前記第２光束が通過する共通光路に配置されるカップリングレンズと、屈折面のみからなる光学面を備えた第１対物光学素子と、屈折面のみからなる光学面を備えた第２対物光学素子と、を有し、前記第１光源から出射された前記波長λ１の第１光束は、前記カップリングレンズを通過し、前記第１対物光学素子により集光されて、保護層厚ｔ１の第１光情報記録媒体の情報記録面に対して集光スポットの形成を行うことができ、また前記第１光源から出射された前記波長λ１の第１光束は、前記カップリングレンズを通過し、前記第２対物光学素子により集光されて、保護層厚ｔ２（ｔ２＞ｔ１）の第２光情報記録媒体の情報記録面に対して集光スポットの形成を行うことができ、更に前記第２光源から出射された前記波長λ２の第２光束は、前記カップリングレンズを通過し、前記第２対物光学素子により集光されて、保護層厚ｔ３（０．９ｔ２≦ｔ３≦１．１ｔ２）であり且つ前記第２情報記録媒体よりもトラックピッチが大きい第３光情報記録媒体の情報記録面に対して集光スポットの形成を行うことができるようになっている光ピックアップ装置であって、
前記カップリングレンズは、
前記第１光束を用いて、前記第１対物光学素子を介して前記第１光情報記録媒体の情報記録面に対して集光スポットの形成を行う第１位置と、
前記第１光束を用いて、前記第２対物光学素子を介して前記第２光情報記録媒体の情報記録面に対して集光スポットの形成を行う第２位置と、
前記第２光束を用いて、前記第２対物光学素子を介して前記第３光情報記録媒体の情報記録面に対して集光スポットの形成を行う第３位置と、の少なくとも３つの光軸方向位置に変位可能となっており、
前記第２対物光学素子に、波長λ３（１．７λ１≦λ３≦２．３λ１）の平行光束を入射させたときに、保護層厚ｔ４（ｔ４＞ｔ３）であり且つ前記第３情報記録媒体よりもトラックピッチが大きい第４光情報記録媒体の情報記録面に形成される集光スポットにおいて、波面収差が０．０７λ３ｒｍｓ以上となることを特徴とする光ピックアップ装置。
【請求項２】
前記第１乃至第３光情報記録媒体の少なくとも１つは、複数の情報記録面を有し、前記カップリングレンズは、前記対物光学素子により集光される情報記録面に応じて、光軸方向に変位することを特徴とする請求の範囲第１項に記載の光ピックアップ装置。
【請求項３】
波長λ１の光束を出射する第１光源と、波長λ２（λ１＜λ２）の光束を出射する第２光源と、前記第１光束及び前記第２光束が通過する共通光路に配置され、前記波長λ１の光束が通過したときの出射角と前記波長λ２の光束が通過したときの出射角とが異なる回折構造を備えたカップリングレンズと、前記共通光路に配置され、前記波長λ１の光束が通過したときの球面収差量と前記波長λ２の光束が通過したときの球面収差量とが異なるようにする収差補正機構と、屈折面のみからなる光学面を備えた第１対物光学素子と、屈折面のみからなる光学面を備えた第２対物光学素子と、を有し、前記第１光源から出射された前記波長λ１の第１光束は、前記カップリングレンズ及び前記収差補正機構を通過し、前記第１対物光学素子により集光されて、保護層厚ｔ１の第１光情報記録媒体の情報記録面に対して集光スポットの形成を行うことができ、また前記第１光源から出射された前記波長λ１の第１光束は、前記カップリングレンズ及び前記収差補正機構を通過し、前記第２対物光学素子により集光されて、保護層厚ｔ２（ｔ２＞ｔ１）の第２光情報記録媒体の情報記録面に対して集光スポットの形成を行うことができ、更に前記第２光源から出射された前記波長λ２の第２光束は、前記カップリングレンズ及び前記収差補正機構を通過し、前記第２対物光学素子により集光されて、保護層厚ｔ３（０．９ｔ２≦ｔ３≦１．１ｔ２）であり且つ前記第２情報記録媒体よりもトラックピッチが大きい第３光情報記録媒体の情報記録面に対して集光スポットの形成を行うことができるようになっている光ピックアップ装置であって、
前記カップリングレンズと前記収差補正機構とを通過した光束において、
前記第１光束を用いて、前記第１対物光学素子を介して前記第１光情報記録媒体の情報記録面に対して集光スポットの形成を行うのに適した第１収差状態と、
前記第１光束を用いて、前記第２対物光学素子を介して前記第２光情報記録媒体の情報記録面に対して集光スポットの形成を行うのに適した第２収差状態と、
前記第２光束を用いて、前記第２対物光学素子を介して前記第３光情報記録媒体の情報記録面に対して集光スポットの形成を行うのに適した第３収差状態と、のいずれかが与えられるようになっており、
前記第２対物光学素子に、波長λ３（１．７λ１≦λ３≦２．３λ１）の平行光束を入射させたときに、保護層厚ｔ４（ｔ４＞ｔ３）であり且つ前記第３情報記録媒体よりもトラックピッチが大きい第４光情報記録媒体の情報記録面に形成される集光スポットにおいて、波面収差が０．０７λ３ｒｍｓ以上となることを特徴とする光ピックアップ装置。
【請求項４】
波長λ１の光束を出射する第１光源と、波長λ２（λ１＜λ２）の光束を出射する第２光源と、前記第１光束及び前記第２光束が通過する共通光路に配置されるカップリングレンズと、前記共通光路に配置され、前記波長λ１の光束が通過したときの球面収差量と前記波長λ２の光束が通過したときの球面収差量とが異なるようにする収差補正機構と、屈折面のみからなる光学面を備えた第１対物光学素子と、前記波長λ１の光束が通過したときの出射角と前記波長λ２の光束が通過したときの出射角とが異なる回折構造を有する光学面を備えた第２対物光学素子と、を有し、前記第１光源から出射された前記波長λ１の第１光束は、前記カップリングレンズ及び前記収差補正機構を通過し、前記第１対物光学素子により集光されて、保護層厚ｔ１の第１光情報記録媒体の情報記録面に対して集光スポットの形成を行うことができ、また前記第１光源から出射された前記波長λ１の第１光束は、前記カップリングレンズ及び前記収差補正機構を通過し、前記第２対物光学素子により集光されて、保護層厚ｔ２（ｔ２＞ｔ１）の第２光情報記録媒体の情報記録面に対して集光スポットの形成を行うことができ、更に前記第２光源から出射された前記波長λ２の第２光束は、前記カップリングレンズ及び前記収差補正機構を通過し、前記第２対物光学素子により集光されて、保護層厚ｔ３（０．９ｔ２≦ｔ３≦１．１ｔ２）であり且つ前記第２情報記録媒体よりもトラックピッチが大きい第３光情報記録媒体の情報記録面に対して集光スポットの形成を行うことができるようになっている光ピックアップ装置であって、
前記カップリングレンズと前記収差補正機構とを通過した光束において、
前記第１光束を用いて、前記第１対物光学素子を介して前記第１光情報記録媒体の情報記録面に対して集光スポットの形成を行うのに適した第１収差状態と、
前記第１光束を用いて、前記第２対物光学素子を介して前記第２光情報記録媒体の情報記録面に対して集光スポットの形成を行うのに適した第２収差状態と、
前記第２光束を用いて、前記第２対物光学素子を介して前記第３光情報記録媒体の情報記録面に対して集光スポットの形成を行うのに適した第３収差状態と、のいずれかが与えられるようになっており、
前記第２対物光学素子に、波長λ３（１．７λ１≦λ３≦２．３λ１）の平行光束を入射させたときに、保護層厚ｔ４（ｔ４＞ｔ３）であり且つ前記第３情報記録媒体よりもトラックピッチが大きい第４光情報記録媒体の情報記録面に形成される集光スポットにおいて、波面収差が０．０７λ３ｒｍｓ以上となることを特徴とする光ピックアップ装置。
【請求項５】
前記収差補正機構は、前記カップリングレンズを光軸方向に変位させる手段を含むことを特徴とする請求の範囲第３項又は第４項に記載の光ピックアップ装置。
【請求項６】
前記第１乃至第３光情報記録媒体の少なくとも１つは、複数の情報記録面を有し、前記カップリングレンズは、前記対物光学素子により集光される情報記録面に応じて、光軸方向に変位することを特徴とする請求の範囲第４項又は第５項に記載の光ピックアップ装置。
【請求項７】
前記収差補正機構は、液晶素子を含むことを特徴とする請求の範囲第３項又は第４項に記載の光ピックアップ装置。
【請求項８】
前記第１乃至第３光情報記録媒体の少なくとも１つは、複数の情報記録面を有し、前記液晶素子は、前記対物光学素子により集光される情報記録面上のスポットに対して、異なる収差状態を与えるように駆動されることを特徴とする請求の範囲第７項に記載の光ピックアップ装置。
【請求項９】
前記第２対物光学素子の屈折面は、前記第２光情報記録媒体に対して情報の記録及び／又は再生を行うために最適化されていることを特徴とする請求の範囲第１項〜第８項のいずれか１項に記載の光ピックアップ装置。
【請求項１０】
前記第２対物光学素子の屈折面は、前記第３光情報記録媒体に対して情報の記録及び／又は再生を行うために最適化されていることを特徴とする請求の範囲第１項〜第８項のいずれか１項に記載の光ピックアップ装置。
【請求項１１】
前記第２対物光学素子の屈折面は、前記第２光情報記録媒体及び前記第３光情報記録媒体とは異なる仮想的な光情報記録媒体に対して情報の記録及び／又は再生を行うために最適化されていることを特徴とする請求の範囲第１項〜第８項のいずれか１項に記載の光ピックアップ装置。
【請求項１２】
前記第１対物素子と前記第２対物素子のいずれかが、前記共通光路に選択的に挿入されるようになっていることを特徴とする請求の範囲第１項〜第１１項のいずれか１項に記載の光ピックアップ装置。
【請求項１３】
前記共通光路に配置された切り替え素子を用いることにより、前記第１対物素子と前記第２対物素子のいずれかに前記波長λ１の光束が入射することを特徴とする請求の範囲第１項〜第１１項のいずれか１項に記載の光ピックアップ装置。
【請求項１４】
前記カップリングレンズは、ビームエキスパンダ又はコリメートレンズであることを特徴とする請求の範囲第１項〜第１３項のいずれか１項に記載の光ピックアップ装置。
【請求項１５】
波長λ１の光束が前記回折構造を通過したときに、２次回折光の強度が最も高くなり、波長λ２の光束が前記回折構造を通過したときに、１次回折光の強度が最も高くなることを特徴とする請求の範囲第３項〜第１４項のいずれか１項に記載の光ピックアップ装置。
【請求項１６】
波長λ１の光束が前記回折構造を通過したときに、０次回折光の強度が最も高くなり、波長λ２の光束が前記回折構造を通過したときに、１次回折光の強度が最も高くなることを特徴とする請求の範囲第３項〜第１４項のいずれか１項に記載の光ピックアップ装置。
【請求項１７】
前記第１光情報記録媒体の情報記録面におけるトラックピッチＴＰ１と、前記第２光情報記録媒体の情報記録面におけるトラックピッチＴＰ２と、前記第３光情報記録媒体の情報記録面におけるトラックピッチＴＰ３とは以下の関係を満たすことを特徴とする請求の範囲第１項〜第１６項のいずれか１項に記載の光ピックアップ装置。
ＴＰ１＜ＴＰ２＜ＴＰ３        （１）
【請求項１８】
前記第１乃至第３光情報記録媒体の情報記録面からの反射光が共通の光検出器に入射することを特徴とする請求の範囲第１項〜第１７項のいずれか１項に記載の光ピックアップ装置。
【請求項１９】
前記第１の対物光学素子及び前記第２の対物光学素子のうち少なくとも一方はガラス製であることを特徴とする請求の範囲第１項〜第１８項のいずれか１項に記載の光ピックアップ装置。
【発明の詳細な説明】
【技術分野】
【０００１】
本発明は、光ピックアップ装置に関し、特に異なる光情報記録媒体に対して情報の記録及び／又は再生を行える光ピックアップ装置に関する。
【背景技術】
【０００２】
近年、光ピックアップ装置において、光ディスクに記録された情報の再生や、光ディスクへの情報の記録のための光源として使用されるレーザ光源の短波長化が進み、例えば、青紫色半導体レーザや、第２高調波を利用して赤外半導体レーザの波長変換を行う青色ＳＨＧレーザ等、波長４００〜４２０ｎｍのレーザ光源が実用化されつつある。【０００３】
これら青紫色レーザ光源を使用すると、ＤＶＤ（デジタルバーサタイルディスク）と同じ開口数（ＮＡ）の対物レンズを使用する場合で、直径１２ｃｍの光ディスクに対して、１５〜２０ＧＢの情報の記録が可能となり、対物レンズのＮＡを０．８５にまで高めた場合には、直径１２ｃｍの光ディスクに対して、２３〜２５ＧＢの情報の記録が可能となる。以下、本明細書では、青紫色レーザ光源を使用する光ディスク及び光磁気ディスクを総称して「高密度光ディスク」という。【０００４】
ところで、高密度光ディスクとして、現在２つの規格が提案されている。１つはＮＡ０．８５の対物レンズを使用し保護層厚みが０．１ｍｍであるブルーレイディスク（以下、ＢＤと略記する）であり、もう１つはＮＡ０．６５乃至０．６７の対物レンズを使用し保護層厚みが０．６ｍｍであるＨＤ  ＤＶＤ（以下、ＨＤと略記する）である。また、現在において、多種多様な情報を記録したＤＶＤやＣＤなどが販売されている。このような実情に鑑みて、異なる光ディスクに対して情報の記録及び／又は再生を行える光ピックアップ装置が、特許文献１，２に開示されている。
【特許文献１】国際公開第０３／９１７６４号パンフレット
【特許文献２】特開２００５−２０９２９９号公報
【発明の開示】
【発明が解決しようとする課題】
【０００５】
しかるに、ＢＤ、ＨＤとＤＶＤ、ＣＤにおける情報記録面上に設けられた保護層の厚さは、それぞれｔ１＝０．１ｍｍ、ｔ２、ｔ３＝０．６ｍｍ、ｔ４＝１．２ｍｍと異なっているため、共通する対物レンズを用いて、いずれかの光ディスクにおいて最適に集光を行うるように仕様を定めると、他の光ディスクに対する集光においては、保護層の厚さに起因した球面収差が発生するという問題がある。これに対し、異なる光ディスクに対して情報の記録及び／又は再生を行う際には、異なる波長の光束を用いることができるので、対物レンズに形成した光路差付与構造を用いて波長に応じた光路差を与えることで、保護層の厚さに起因した球面収差を補正することができる。ところが、回折構造に代表される光路差付与構造は、入射光束の波長に応じた微細な段差を形成するものであり、これをガラス製の対物光学素子に設けるとコスト高を招くという問題がある。【０００６】
一方、プラスチックを用いて対物光学素子を形成する場合、微細な段差を有する金型を製作し、それを用いて射出成形等を行うことで、回折構造等を有する対物光学素子を比較的容易に大量生産できる。ところが、プラスチックで対物光学素子を形成した場合、一般的には温度変化に対する屈折率変化が大きいので、環境温度が大きく変化する光ピックアップ装置に用いることが困難な場合がある。【０００７】
本発明は、かかる問題に鑑みてなされたものであり、比較的簡素な構成を有し、異なる光情報記録媒体に対して互換可能に情報の記録及び／又は再生を行える光ピックアップ装置を提供することを目的とする。
【課題を解決するための手段】
【０００８】
請求の範囲第１項に記載の光ピックアップ装置は、波長λ１の光束を出射する第１光源と、波長λ２（λ１＜λ２）の光束を出射する第２光源と、前記第１光束及び前記第２光束が通過する共通光路に配置されるカップリングレンズと、屈折面のみからなる光学面を備えた第１対物光学素子と、屈折面のみからなる光学面を備えた第２対物光学素子と、を有し、前記第１光源から出射された前記波長λ１の第１光束は、前記カップリングレンズを通過し、前記第１対物光学素子により集光されて、保護層厚ｔ１の第１光情報記録媒体の情報記録面に対して集光スポットの形成を行うことができ、また前記第１光源から出射された前記波長λ１の第１光束は、前記カップリングレンズを通過し、前記第２対物光学素子により集光されて、保護層厚ｔ２（ｔ２＞ｔ１）の第２光情報記録媒体の情報記録面に対して集光スポットの形成を行うことができ、更に前記第２光源から出射された前記波長λ２の第２光束は、前記カップリングレンズを通過し、前記第２対物光学素子により集光されて、保護層厚ｔ３（０．９ｔ２≦ｔ３≦１．１ｔ２）であり且つ前記第２情報記録媒体よりもトラックピッチが大きい第３光情報記録媒体の情報記録面に対して集光スポットの形成を行うことができるようになっている光ピックアップ装置であって、
前記カップリングレンズは、
前記第１光束を用いて、前記第１対物光学素子を介して前記第１光情報記録媒体の情報記録面に対して集光スポットの形成を行う第１位置と、
前記第１光束を用いて、前記第２対物光学素子を介して前記第２光情報記録媒体の情報記録面に対して集光スポットの形成を行う第２位置と、
前記第２光束を用いて、前記第２対物光学素子を介して前記第３光情報記録媒体の情報記録面に対して集光スポットの形成を行う第３位置と、の少なくとも３つの光軸方向位置に変位可能となっており、
前記第２対物光学素子に、波長λ３（１．７λ１≦λ３≦２．３λ１）の平行光束を入射させたときに、保護層厚ｔ４（ｔ４＞ｔ３）であり且つ前記第３情報記録媒体よりもトラックピッチが大きい第４光情報記録媒体の情報記録面に形成される集光スポットにおいて、波面収差が０．０７λ３ｒｍｓ以上となることを特徴とする。【０００９】
本発明においては、前記第１対物光学素子及び前記第２対物光学素子の光学面を屈折面のみから形成することで、ガラス製であっても低コストで形成できるものとしている。更に、前記第１対物光学素子は、前記第１光束と前記第１光情報記録媒体の保護層ｔ１とに対して最適化して設計ができるので、前記第１光情報記録媒体に対して適切に情報の記録及び／又は再生を行うことができる。一方、前記第２対物光学素子は、前記第１光束と前記第２光束とに対して共通に用いられるが、前記第２光情報記録媒体の保護層ｔ２と、前記第３光情報記録媒体の保護層ｔ３とが同じである場合、保護層厚の差を考慮する必要がないので、設計が容易であり低コストなものとすることができる。なお、前記第１光束と前記第２光束の波長差に基づく色収差は、前記カップリングレンズを前記第２位置と前記第３位置のいずれかに変位させることで、前記第２対物光学素子への発散角を変化させることにより適切に補正することができる。【００１０】
請求の範囲第２項に記載の光ピックアップ装置は、請求の範囲第１項に記載の発明において、前記第１乃至第３光情報記録媒体の少なくとも１つは、複数の情報記録面を有し、前記カップリングレンズは、前記対物光学素子により集光される情報記録面に応じて、光軸方向に変位することを特徴とするので、情報記録面が複層に配置された光情報記録媒体に対しても適切に情報の記録及び／又は再生を行うことができる。【００１１】
請求の範囲第３項に記載の光ピックアップ装置は、波長λ１の光束を出射する第１光源と、波長λ２（λ１＜λ２）の光束を出射する第２光源と、前記第１光束及び前記第２光束が通過する共通光路に配置され、前記波長λ１の光束が通過したときの出射角と前記波長λ２の光束が通過したときの出射角とが異なる回折構造を備えたカップリングレンズと、前記共通光路に配置され、前記波長λ１の光束が通過したときの球面収差量と前記波長λ２の光束が通過したときの球面収差量とが異なるようにする収差補正機構と、屈折面のみからなる光学面を備えた第１対物光学素子と、屈折面のみからなる光学面を備えた第２対物光学素子と、を有し、前記第１光源から出射された前記波長λ１の第１光束は、前記カップリングレンズ及び前記収差補正機構を通過し、前記第１対物光学素子により集光されて、保護層厚ｔ１の第１光情報記録媒体の情報記録面に対して集光スポットの形成を行うことができ、また前記第１光源から出射された前記波長λ１の第１光束は、前記カップリングレンズ及び前記収差補正機構を通過し、前記第２対物光学素子により集光されて、保護層厚ｔ２（ｔ２＞ｔ１）の第２光情報記録媒体の情報記録面に対して集光スポットの形成を行うことができ、更に前記第２光源から出射された前記波長λ２の第２光束は、前記カップリングレンズ及び前記収差補正機構を通過し、前記第２対物光学素子により集光されて、保護層厚ｔ３（０．９ｔ２≦ｔ３≦１．１ｔ２）であり且つ前記第２情報記録媒体よりもトラックピッチが大きい第３光情報記録媒体の情報記録面に対して集光スポットの形成を行うことができるようになっている光ピックアップ装置であって、
前記カップリングレンズと前記収差補正機構とを通過した光束において、
前記第１光束を用いて、前記第１対物光学素子を介して前記第１光情報記録媒体の情報記録面に対して集光スポットの形成を行うのに適した第１収差状態と、
前記第１光束を用いて、前記第２対物光学素子を介して前記第２光情報記録媒体の情報記録面に対して集光スポットの形成を行うのに適した第２収差状態と、
前記第２光束を用いて、前記第２対物光学素子を介して前記第３光情報記録媒体の情報記録面に対して集光スポットの形成を行うのに適した第３収差状態と、のいずれかが与えられるようになっており、
前記第２対物光学素子に、波長λ３（１．７λ１≦λ３≦２．３λ１）の平行光束を入射させたときに、保護層厚ｔ４（ｔ４＞ｔ３）であり且つ前記第３情報記録媒体よりもトラックピッチが大きい第４光情報記録媒体の情報記録面に形成される集光スポットにおいて、波面収差が０．０７λ３ｒｍｓ以上となることを特徴とする。【００１２】
本発明においては、前記第１対物光学素子及び前記第２対物光学素子の光学面を屈折面のみから形成することで、ガラス製であっても低コストで形成できるものとしている。更に、前記第１対物光学素子は、前記第１光束と前記第１光情報記録媒体の保護層ｔ１とに対して最適化して設計ができるので、前記第１光情報記録媒体に対して適切に情報の記録及び／又は再生を行うことができる。一方、前記第２対物光学素子は、前記第１光束と前記第２光束とに対して共通に用いられるが、前記第２光情報記録媒体の保護層ｔ２と、前記第３光情報記録媒体の保護層ｔ３とが同じである場合、保護層厚の差を考慮する必要がないので、設計が容易であり低コストなものとすることができる。なお、前記第１光束と前記第２光束の波長差に基づく色収差は、前記カップリングレンズと前記収差補正機構を通過した光束において、前記第２収差状態と前記第３収差状態のいずれかを与えることにより適切に補正することができる。さらに収差補正機構は他の要因を補正するものであってもよい。他の要因としては、たとえば、製造ロットによる、レーザーダイオード各個体の発振波長の差（いわゆる波長特性）や、使用に伴って温度が上昇することに起因する収差の補正（温度補正）を好ましく行うように構成可能である。
請求の範囲第４項に記載の光ピックアップ装置は、波長λ１の光束を出射する第１光源と、波長λ２（λ１＜λ２）の光束を出射する第２光源と、前記第１光束及び前記第２光束が通過する共通光路に配置されるカップリングレンズと、前記共通光路に配置され、前記波長λ１の光束が通過したときの球面収差量と前記波長λ２の光束が通過したときの球面収差量とが異なるようにする収差補正機構と、屈折面のみからなる光学面を備えた第１対物光学素子と、前記波長λ１の光束が通過したときの出射角と前記波長λ２の光束が通過したときの出射角とが異なる回折構造を有する光学面を備えた第２対物光学素子と、を有し、前記第１光源から出射された前記波長λ１の第１光束は、前記カップリングレンズ及び前記収差補正機構を通過し、前記第１対物光学素子により集光されて、保護層厚ｔ１の第１光情報記録媒体の情報記録面に対して集光スポットの形成を行うことができ、また前記第１光源から出射された前記波長λ１の第１光束は、前記カップリングレンズ及び前記収差補正機構を通過し、前記第２対物光学素子により集光されて、保護層厚ｔ２（ｔ２＞ｔ１）の第２光情報記録媒体の情報記録面に対して集光スポットの形成を行うことができ、更に前記第２光源から出射された前記波長λ２の第２光束は、前記カップリングレンズ及び前記収差補正機構を通過し、前記第２対物光学素子により集光されて、保護層厚ｔ３（０．９ｔ２≦ｔ３≦１．１ｔ２）であり且つ前記第２情報記録媒体よりもトラックピッチが大きい第３光情報記録媒体の情報記録面に対して集光スポットの形成を行うことができるようになっている光ピックアップ装置であって、
前記カップリングレンズと前記収差補正機構とを通過した光束において、
前記第１光束を用いて、前記第１対物光学素子を介して前記第１光情報記録媒体の情報記録面に対して集光スポットの形成を行うのに適した第１収差状態と、
前記第１光束を用いて、前記第２対物光学素子を介して前記第２光情報記録媒体の情報記録面に対して集光スポットの形成を行うのに適した第２収差状態と、
前記第２光束を用いて、前記第２対物光学素子を介して前記第３光情報記録媒体の情報記録面に対して集光スポットの形成を行うのに適した第３収差状態と、のいずれかが与えられるようになっており、
前記第２対物光学素子に、波長λ３（１．７λ１≦λ３≦２．３λ１）の平行光束を入射させたときに、保護層厚ｔ４（ｔ４＞ｔ３）であり且つ前記第３情報記録媒体よりもトラックピッチが大きい第４光情報記録媒体の情報記録面に形成される集光スポットにおいて、波面収差が０．０７λ３ｒｍｓ以上となることを特徴とする。【００１３】
本発明においては、前記第１対物光学素子及の光学面を屈折面のみから形成することで、ガラス製であっても低コストで形成できるものとしている。更に、前記第１対物光学素子は、前記第１光束と前記第１光情報記録媒体の保護層ｔ１とに対して最適化して設計ができるので、前記第１光情報記録媒体に対して適切に情報の記録及び／又は再生を行うことができる。一方、前記第２対物光学素子は、前記第１光束と前記第２光束とに対して共通に用いられるが、前記第２光情報記録媒体の保護層ｔ２と、前記第３光情報記録媒体の保護層ｔ３とが同じである場合、保護層厚の差を考慮する必要がないので、設計が容易であり低コストなものとすることができる。なお、前記第１光束と前記第２光束の波長差に基づく色収差は、第２対物光学素子に設けた回折構造によって解消することができる。さらに前記カップリングレンズと前記収差補正機構を通過した光束において、前記第２収差状態と前記第３収差状態のいずれかを与えることにより、より適切な光束を入射させることができる。さらにカップリングレンズと収差補正機構は他の要因を補正するものであってもよい。他の要因としては、たとえば、製造ロットによる、レーザーダイオード各個体の発振波長の差（いわゆる波長特性）や、使用に伴って温度が上昇することに起因する収差の補正（温度補正）を好ましく行うように構成可能である。【００１４】
請求の範囲第５項に記載の光ピックアップ装置は、請求の範囲第３項又は第４項に記載の発明において、前記収差補正機構は、前記カップリングレンズを光軸方向に変位させる手段を含むことを特徴とするので、前記カップリングレンズを光軸方向に変位させることにより、前記第２状態と前記第３状態のいずれかを作り出すことができる。【００１５】
請求の範囲第６項に記載の光ピックアップ装置は、請求の範囲第４項又は第５項に記載の発明において、前記第１乃至第３光情報記録媒体の少なくとも１つは、複数の情報記録面を有し、前記カップリングレンズは、前記対物光学素子により集光される情報記録面に応じて、光軸方向に変位することを特徴とするので、情報記録面が複層に配置された光情報記録媒体に対しても適切に情報の記録及び／又は再生を行うことができる。【００１６】
請求の範囲第７項に記載の光ピックアップ装置は、請求の範囲第３項又は第４項に記載の発明において、前記収差補正機構は、液晶素子を含むことを特徴とするので、前記液晶素子を適宜駆動することにより、前記第２状態と前記第３状態のいずれかを作り出すことができる。「液晶素子」とは、外部から電力を供給して駆動することにより、通過する光束に対して所定の収差状態を与えるものをいい、例えば特開２００４−１９２７１９号公報に記載されている。【００１７】
請求の範囲第８項に記載の光ピックアップ装置は、請求の範囲第７項に記載の発明において、前記第１乃至第３光情報記録媒体の少なくとも１つは、複数の情報記録面を有し、前記液晶素子は、前記対物光学素子により集光される情報記録面上のスポットに対して、異なる収差状態を与えるように駆動されることを特徴とするので、情報記録面が複層に配置された光情報記録媒体に対しても適切に情報の記録及び／又は再生を行うことができる。【００１８】
請求の範囲第９項に記載の光ピックアップ装置は、請求の範囲第１項〜第８項のいずれかに記載の発明において、前記第２対物光学素子の屈折面は、前記第２光情報記録媒体に対して情報の記録及び／又は再生を行うために最適化されていることを特徴とする。前記第３光情報記録媒体に対して情報の記録及び／又は再生を行う際は、前記カップリングレンズ又は前記収差補正機構を用いて、波面収差を適切に補正することができる。【００１９】
請求の範囲第１０項に記載の光ピックアップ装置は、請求の範囲第１項〜第８項のいずれかに記載の発明において、前記第２対物光学素子の屈折面は、前記第３光情報記録媒体に対して情報の記録及び／又は再生を行うために最適化されていることを特徴とする。前記第２光情報記録媒体に対して情報の記録及び／又は再生を行う際は、前記カップリングレンズ又は前記収差補正機構を用いて、波面収差を適切に補正することができる。【００２０】
請求の範囲第１１項に記載の光ピックアップ装置は、請求の範囲第１項〜第８項のいずれかに記載の発明において、前記第２対物光学素子の屈折面は、前記第２光情報記録媒体及び前記第３光情報記録媒体とは異なる仮想的な光情報記録媒体に対して情報の記録及び／又は再生を行うために最適化されていることを特徴とする。前記第２光情報記録媒体及び前記第３光情報記録媒体に対して情報の記録及び／又は再生を行う際は、前記カップリングレンズ又は前記収差補正機構を用いて、波面収差を適切に補正することができ、且つ補正量を小さく抑えることができる。【００２１】
請求の範囲第１２項に記載の光ピックアップ装置は、請求の範囲第１項〜第１１項のいずれかに記載の発明において、前記第１対物素子と前記第２対物素子のいずれかが、前記共通光路に選択的に挿入されるようになっていることを特徴とするので、光路構成を簡素化することができる。【００２２】
請求の範囲第１３項に記載の光ピックアップ装置は、請求の範囲第１項〜第１１項のいずれかに記載の発明において、前記共通光路に配置された切り替え素子を用いることにより、前記第１対物素子と前記第２対物素子のいずれかに前記波長λ１の光束が入射することを特徴とするので、前記対物光学素子の切り替えのための可動部を不要とすることができる。【００２３】
請求の範囲第１４項に記載の光ピックアップ装置は、請求の範囲第１項〜第１３項のいずれかに記載の発明において、前記カップリングレンズは、ビームエキスパンダ又はコリメートレンズであることを特徴とする。【００２４】
請求の範囲第１５項に記載の光ピックアップ装置は、請求の範囲第３項〜第１４項のいずれかに記載の発明において、波長λ１の光束が前記回折構造を通過したときに、２次回折光の強度が最も高くなり、波長λ２の光束が前記回折構造を通過したときに、１次回折光の強度が最も高くなることを特徴とするので、波長に応じて出射角を異ならせることができる。【００２５】
請求の範囲第１６項に記載の光ピックアップ装置は、請求の範囲第３項〜第１４項のいずれかに記載の発明において、波長λ１の光束が前記回折構造を通過したときに、０次回折光の強度が最も高くなり、波長λ２の光束が前記回折構造を通過したときに、１次回折光の強度が最も高くなることを特徴とするので、波長に応じて出射角を異ならせることができる。【００２６】
請求の範囲第１７項に記載の光ピックアップ装置は、請求の範囲第１項〜第１６項のいずれかに記載の発明において、前記第１光情報記録媒体の情報記録面におけるトラックピッチＴＰ１と、前記第２光情報記録媒体の情報記録面におけるトラックピッチＴＰ２と、前記第３光情報記録媒体の情報記録面におけるトラックピッチＴＰ３とは以下の関係を満たすことを特徴とする。【００２７】
ＴＰ１＜ＴＰ２＜ＴＰ３        （１）
請求の範囲第１８項に記載の光ピックアップ装置は、請求の範囲第１項〜第１７項のいずれかに記載の発明において、前記第１乃至第３光情報記録媒体の情報記録面からの反射光が共通の光検出器に入射することを特徴とするので、光ピックアップ装置の構成が簡素化される。
請求の範囲第１９項に記載の光ピックアップ装置は、請求の範囲第１項〜第１８項のいずれかに記載の発明において、前記第１の対物光学素子及び前記第２の対物光学素子のうち少なくとも一方はガラス製であることを特徴とする。【００２８】
本明細書中において、対物光学素子とは、狭義には光ピックアップ装置に光情報記録媒体を装填した状態において、最も光情報記録媒体側の位置で、これと対向すべく配置される集光作用を有する素子を指すものとする。
【発明の効果】
【００２９】
本発明によれば、比較的簡素な構成を有し、異なる光情報記録媒体に対して互換可能に情報の記録及び／又は再生を行える光ピックアップ装置を提供することが可能となる。
【図面の簡単な説明】
【００３０】
【図１】第１の実施の形態にかかる光ピックアップ装置の概略断面図である。
【図２】第２の実施の形態にかかる光ピックアップ装置の概略断面図である。
【図３】レンズホルダ駆動部の概略斜視図である。
【符号の説明】
【００３１】
ＡＣＴ  アクチュエータ
ＡＣＴＢ  アクチュエータベース
ＢＳ  ビームシェイパ
ＣＬ１  第１コリメートレンズ
ＣＬ２  第２コリメートレンズ
ＣＯＬ  カップリングレンズ
ＤＰ１  第１ダイクロイックプリズム
ＥＸＰ  ビームエキスパンダ
Ｇ  回折格子
ＬＨ  レンズホルダ
ＬＤ１  第１半導体レーザ
ＬＤ２  第２半導体レーザ
ＭＧＡ，ＭＧＢ，ＭＧＣ，ＭＧＤ  マグネット
ＯＢＪ１  第１の対物レンズ
ＯＢＪ２  第２の対物レンズ
ＯＤ１  第１の光ディスク
ＯＤ２  第２の光ディスク
ＯＤ３  第３の光ディスク
ＯＵ  レンズユニット
ＰＢＳ  偏光ビームスプリッタ
ＰＤ  光検出器
ＱＷＰ  λ／４波長板
ＳＨ  支軸
ＳＬ  センサレンズ
ＴＡ  トラッキングアクチュエータ
ＴＣＡ，ＴＣＢ  トラッキングコイル
ＴＧＡ  マグネット
ＴＧＣ  マグネット
ＴＰ１  トラックピッチ
ＴＰ２  トラックピッチ
ＴＰ３  トラックピッチ
【発明を実施するための最良の形態】
【００３２】
以下、図面を参照して、本発明をさらに詳細に説明する。【００３３】
（第１の実施の形態）
最初に、請求の範囲第１項に関わる発明について説明する。
図１は、ＢＤである第１の光ディスクＯＤ１と、ＨＤである第２の光ディスクＯＤ２と、従来のＤＶＤである第３の光ディスクＯＤ３の全てに対して情報の記録／再生を行える、第１の実施の形態にかかる光ピックアップ装置の概略断面図である。ＢＤのトラックピッチＴＰ１と、ＨＤのトラックピッチＴＰ２と、ＤＶＤのトラックピッチＴＰ３とは以下の関係を満たす。【００３４】
ＴＰ１＜ＴＰ２＜ＴＰ３        （１）
図１に示すように、それぞれガラス製である第１の対物レンズ（第１の対物光学素子ともいう）ＯＢＪ１と第２の対物レンズ（第２の対物光学素子ともいう）ＯＢＪ２とを保持するレンズホルダＬＨは、アクチュエータＡＣＴにより少なくとも２次元的に可動に支持されている。アクチュエータＡＣＴは、光ピックアップ装置のフレーム（不図示）に対して位置調整可能にアクチュエータべースＡＣＴＢを介して取り付けられている。アクチュエータべースＡＣＴＢは、不図示のアクチュエータにより図で左右方向に移動可能に保持されている。【００３５】
ここで、第２の対物レンズＯＢＪ２に、波長λ３（λ３＝７００〜８００ｎｍ）の平行光束を入射させたときに、保護層厚ｔ４（ｔ４＝１．２ｍｍ）であり且つＤＶＤよりもトラックピッチが大きい第４光情報記録媒体としてのＣＤの情報記録面に形成される集光スポットにおいて、波面収差が０．０７λ３ｒｍｓ以上となる。即ち、この光ピックアップ装置においては、ＣＤに対して情報の記録及び／又は再生を適切に行うことができず、その代わりに光学系や駆動系を簡素化している。【００３６】
むろん、第２の対物レンズを用いても、収差補正機構であるビームエキスパンダＥＸＰの可動素子の光軸方向駆動距離を大きくすることにより、ＣＤの情報記録面に好適な集光スポットを、理論上は形成可能である。しかし駆動距離が大きくなることによってピックアップ全体が大型化してしまう。さらに有限発散光が第２の対物レンズに入射することとなり、トラッキング時の像高（光束の斜入射）に対してコマ収差が大きく発生するので現実的には使用に耐えない。さらに光束絞りのためにフィルタを設けるか、回折構造を設ける必要があり、コスト高を招いてしまう。【００３７】
第１の光ディスクＯＤ１に対して情報の記録及び／又は再生を行う場合について説明する。かかる場合、不図示のアクチュエータによりアクチュエータベースＡＣＴＢが移動され、第１の対物レンズＯＢＪ１の光軸が、λ／４波長板ＱＷＰの光軸と一致するようになっているものとする。またカップリングレンズであるビームエキスパンダＥＸＰの可動素子は第１の光軸方向位置に変位させられる。図１において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射して平行光束となる。第１コリメートレンズＣＬ１から出射した光束は、ダイクロイックプリズムＤＰ１を通過し、光源から出射した光束を記録再生用のメインビームとトラッキングエラー信号検出用のサブビームに分離するための光学手段である回折格子Ｇを通過し、更に偏光ビームスプリッタＰＢＳ、ビームエキスパンダＥＸＰを通過する。【００３８】
ビームエキスパンダＥＸＰを通過した平行光束は、λ／４波長板ＱＷＰを通過して、第１の対物レンズＯＢＪ１により集光されて、第１の光ディスクＯＤ１の保護層（厚さｔ１＝０．１ｍｍ）を介してその情報記録面に集光されここに集光スポットを形成する。【００３９】
そして情報記録面で情報ピットにより変調されて反射した光束は、再び第１の対物レンズＯＢＪ１、λ／４波長板ＱＷＰ、ビームエキスパンダＥＸＰを通過して、偏光ビームスプリッタＰＢＳで反射され、更にセンサレンズＳＬを通過し、光検出器ＰＤの受光面に入射するので、その出力信号を用いて、第１の光ディスクＯＤ１に情報記録された情報の読み取り信号が得られる。【００４０】
また、光検出器ＰＤ上でのスポットの形状変化、位置変化による光量変化を検出して、合焦検出やトラック検出を行う。この検出に基づいて、第１半導体レーザＬＤ１からの光束を第１の光ディスクＯＤ１の情報記録面に結像するように、第１の対物レンズＯＢＪ１をレンズホルダＬＨごと移動させるように、アクチュエータＡＣＴを駆動する。【００４１】
第２の光ディスクＯＤ２に対して情報の記録及び／又は再生を行う場合について説明する。かかる場合、不図示のアクチュエータによりアクチュエータベースＡＣＴＢが移動され、第２の対物レンズＯＢＪ２の光軸が、λ／４波長板ＱＷＰの光軸と一致するようになっているものとする。またカップリングレンズであるビームエキスパンダＥＸＰの可動素子は第２の光軸方向位置に変位させられる。第２半導体レーザＬＤ２（波長λ２＝６００ｎｍ〜７００ｎｍ）から出射された光束は、第２コリメートレンズＣＬ２に入射して平行光束となる。第２コリメートレンズＣＬ２から出射した光束は第１ダイクロイックプリズムＤＰ１で反射され、回折格子Ｇを通過し、更に偏光ビームスプリッタＰＢＳ及びビームエキスパンダＥＸＰを通過する。【００４２】
ビームエキスパンダＥＸＰを通過した平行光束は、λ／４波長板ＱＷＰを通過して、第２の対物レンズＯＢＪ２により集光されて、第２の光ディスクＯＤ２の保護層（厚さｔ２＝０．６ｍｍ）を介してその情報記録面に集光されここに集光スポットを形成する。【００４３】
そして情報記録面で情報ピットにより変調されて反射した光束は、再び第２の対物レンズＯＢＪ２、λ／４波長板ＱＷＰ、ビームエキスパンダＥＸＰを通過し、偏光ビームスプリッタＰＢＳで反射され、更にセンサレンズＳＬを通過し、光検出器ＰＤの受光面に入射するので、その出力信号を用いて、第２の光ディスクＯＤ２に情報記録された情報の読み取り信号が得られる。【００４４】
また、光検出器ＰＤ上でのスポットの形状変化、位置変化による光量変化を検出して、合焦検出やトラック検出を行う。この検出に基づいて、第２半導体レーザＬＤ２からの光束を第２の光ディスクＯＤ２の情報記録面に結像するように、第２の対物レンズＯＢＪ２をレンズホルダＬＨごと移動させるように、アクチュエータＡＣＴを駆動する。【００４５】
第３の光ディスクＯＤ３に対して情報の記録及び／又は再生を行う場合について説明する。かかる場合、不図示のアクチュエータによりアクチュエータベースＡＣＴＢが移動され、第２の対物レンズＯＢＪ２の光軸が、λ／４波長板ＱＷＰの光軸と一致するようになっているものとする。またカップリングレンズであるビームエキスパンダＥＸＰの可動素子は第３の光軸方向位置に変位させられる。第２半導体レーザＬＤ２（波長λ２＝６００ｎｍ〜７００ｎｍ）から出射された光束は、第２コリメートレンズＣＬ２に入射して平行光束となる。第２コリメートレンズＣＬ２から出射した光束は第１ダイクロイックプリズムＤＰ１で反射され、回折格子Ｇを通過し、更に偏光ビームスプリッタＰＢＳ及びビームエキスパンダＥＸＰを通過する。【００４６】
ビームエキスパンダＥＸＰを通過した所定の発散角（又は収束角）を持つ光束は、λ／４波長板ＱＷＰを通過して、第２の対物レンズＯＢＪ２により集光されて、第３の光ディスクＯＤ３の保護層（厚さｔ３＝０．６ｍｍ）を介してその情報記録面に集光されここに集光スポットを形成する。【００４７】
そして情報記録面で情報ピットにより変調されて反射した光束は、再び第２の対物レンズＯＢＪ２、λ／４波長板ＱＷＰ、ビームエキスパンダＥＸＰを通過し、偏光ビームスプリッタＰＢＳで反射され、更にセンサレンズＳＬを通過し、光検出器ＰＤの受光面に入射するので、その出力信号を用いて、第３の光ディスクＯＤ３に情報記録された情報の読み取り信号が得られる。【００４８】
また、光検出器ＰＤ上でのスポットの形状変化、位置変化による光量変化を検出して、合焦検出やトラック検出を行う。この検出に基づいて、第２半導体レーザＬＤ２からの光束を第３の光ディスクＯＤ３の情報記録面に結像するように、第２の対物レンズＯＢＪ２をレンズホルダＬＨごと移動させるように、アクチュエータＡＣＴを駆動する。【００４９】
なお、第１の光ディスクＯＤ１〜第３の光ディスクＯＤ３が複層の情報記録面を有する場合、ビームエキスパンダＥＸＰの可動素子を光軸方向に変位させることで、いずれの情報記録面にも情報の記録及び／又は再生が可能となる。【００５０】
第１の対物レンズＯＢＪ１の光学面と第２の対物レンズＯＢＪ２の光学面を屈折面のみから形成することで、ガラス製であっても低コストで形成できるものとしている。更に、第１の対物レンズＯＢＪ１は、波長λ１の第１光束と第１の光ディスクＯＤ１の保護層ｔ１とに対して最適化して設計ができるので、第１の光ディスクＯＤ１に対して適切に情報の記録及び／又は再生を行うことができる。一方、第２の対物レンズＯＢＪ２は、波長λ１の第１光束と波長λ２の第２光束とに対して共通に用いられるが、第２の光ディスクＯＤ２の保護層ｔ２と、第３の光ディスクＯＤ３の保護層ｔ３とが同じである場合、保護層厚の差を考慮する必要がないので、設計が容易であり低コストなものとすることができる。なお、第１光束と第２光束の波長差に基づく色収差は、ビームエキスパンダＥＸＰを変位させることで、第２の対物レンズＯＢＪ２への発散角を変化させることにより適切に補正することができる。【００５１】
（第２の実施の形態）
次に、請求の範囲第３項に関わる発明について説明する。【００５２】
図２は、ＢＤである第１の光ディスクＯＤ１と、ＨＤである第２の光ディスクＯＤ２と、従来のＤＶＤである第３の光ディスクＯＤ３の全てに対して情報の記録／再生を行える、第２の実施の形態にかかる光ピックアップ装置の概略断面図である。ＢＤのトラックピッチＴＰ１と、ＨＤのトラックピッチＴＰ２と、ＤＶＤのトラックピッチＴＰ３とは以下の関係を満たす。【００５３】
ＴＰ１＜ＴＰ２＜ＴＰ３        （１）
図２に示すように、それぞれガラス製である第１の対物レンズ（第１の対物光学素子ともいう）ＯＢＪ１と第２の対物レンズ（第２の対物光学素子ともいう）ＯＢＪ２とを保持するレンズホルダＬＨは、アクチュエータＡＣＴにより少なくとも２次元的に可動に支持されている。アクチュエータＡＣＴは、光ピックアップ装置のフレーム（不図示）に対して位置調整可能にアクチュエータべースＡＣＴＢを介して取り付けられている。アクチュエータべースＡＣＴＢは、不図示のアクチュエータにより図で左右方向に移動可能に保持されている。又、カップリングレンズ（又はコリメートレンズ）ＣＯＬの光学面には、波長λ１の光束が入射したときに２次回折光の強度が最も高くなり、波長λ２の光束が入射したときに１次回折光の強度が最も高くなる収差補正機構としての回折構造が形成されている。【００５４】
ここで、第２の対物レンズＯＢＪ２に、波長λ３（λ３＝７００〜８００ｎｍ）の平行光束を入射させたときに、保護層厚ｔ４（ｔ４＝１．２ｍｍ）であり且つＤＶＤよりもトラックピッチが大きい第４光情報記録媒体としてのＣＤの情報記録面に形成される集光スポットにおいて、波面収差が０．０７λ３ｒｍｓ以上となる。即ち、この光ピックアップ装置においては、ＣＤに対して情報の記録及び／又は再生を適切に行うことができず、その代わりに光学系や駆動系を簡素化している。【００５５】
むろん、第２の対物レンズを用いても、カップリングレンズ（又はコリメートレンズ）であるＣＯＬの回折構造をより微細にするなどにより、ＣＤの情報記録面に好適な集光スポットを、理論上は形成可能である。しかし回折構造が微細になることによって製造難度が高まり、回折効率も低下してしまうので、結果としてコスト高を招いてしまう。そこで回折作用を補うために、さらにカップリングレンズ（又はコリメートレンズ）であるＣＯＬを光軸方向に変位させ、第２の対物レンズに入射する光束の倍率を変化させる（具体的には有限発散化させる）手段が考えられるが、この場合、結果として駆動機構を必要とするので、ピックアップ全体の大型化を招く。さらに有限発散光が第２の対物レンズに入射することとなり、トラッキング時の像高（光束の斜入射）に対してコマ収差が大きく発生する。【００５６】
第１の光ディスクＯＤ１に対して情報の記録及び／又は再生を行う場合について説明する。かかる場合、不図示のアクチュエータによりアクチュエータベースＡＣＴＢが移動され、第１の対物レンズＯＢＪ１の光軸が、λ／４波長板ＱＷＰの光軸と一致するようになっているものとする。図１において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射して平行光束となる。第１コリメートレンズＣＬ１から出射した光束は、ダイクロイックプリズムＤＰ１を通過し、光源から出射した光束を記録再生用のメインビームとトラッキングエラー信号検出用のサブビームに分離するための光学手段である回折格子Ｇを通過し、更に偏光ビームスプリッタＰＢＳ、カップリングレンズＣＯＬを通過する。【００５７】
カップリングレンズＣＯＬを通過した２次回折光束は、λ／４波長板ＱＷＰを通過して、第１の対物レンズＯＢＪ１により集光されて、第１の光ディスクＯＤ１の保護層（厚さｔ１＝０．１ｍｍ）を介してその情報記録面に集光されここに集光スポットを形成する。【００５８】
そして情報記録面で情報ピットにより変調されて反射した光束は、再び第１の対物レンズＯＢＪ１、λ／４波長板ＱＷＰ、カップリングレンズＣＯＬを通過して、偏光ビームスプリッタＰＢＳで反射され、更にセンサレンズＳＬを通過し、光検出器ＰＤの受光面に入射するので、その出力信号を用いて、第１の光ディスクＯＤ１に情報記録された情報の読み取り信号が得られる。【００５９】
また、光検出器ＰＤ上でのスポットの形状変化、位置変化による光量変化を検出して、合焦検出やトラック検出を行う。この検出に基づいて、第１半導体レーザＬＤ１からの光束を第１の光ディスクＯＤ１の情報記録面に結像するように、第１の対物レンズＯＢＪ１をレンズホルダＬＨごと移動させるように、アクチュエータＡＣＴを駆動する。【００６０】
第２の光ディスクＯＤ２に対して情報の記録及び／又は再生を行う場合について説明する。かかる場合、不図示のアクチュエータによりアクチュエータベースＡＣＴＢが移動され、第２の対物レンズＯＢＪ２の光軸が、λ／４波長板ＱＷＰの光軸と一致するようになっているものとする。第２半導体レーザＬＤ２（波長λ２＝６００ｎｍ〜７００ｎｍ）から出射された光束は、第２コリメートレンズＣＬ２に入射して平行光束となる。第２コリメートレンズＣＬ２から出射した光束は第１ダイクロイックプリズムＤＰ１で反射され、回折格子Ｇを通過し、更に偏光ビームスプリッタＰＢＳ及びカップリングレンズＣＯＬを通過する。【００６１】
カップリングレンズＣＯＬを通過した２次回折光束は、λ／４波長板ＱＷＰを通過して、第２の対物レンズＯＢＪ２により集光されて、第２の光ディスクＯＤ２の保護層（厚さｔ２＝０．６ｍｍ）を介してその情報記録面に集光されここに集光スポットを形成する。【００６２】
そして情報記録面で情報ピットにより変調されて反射した光束は、再び第２の対物レンズＯＢＪ２、λ／４波長板ＱＷＰ、カップリングレンズＣＯＬを通過し、偏光ビームスプリッタＰＢＳで反射され、更にセンサレンズＳＬを通過し、光検出器ＰＤの受光面に入射するので、その出力信号を用いて、第２の光ディスクＯＤ２に情報記録された情報の読み取り信号が得られる。【００６３】
また、光検出器ＰＤ上でのスポットの形状変化、位置変化による光量変化を検出して、合焦検出やトラック検出を行う。この検出に基づいて、第２半導体レーザＬＤ２からの光束を第２の光ディスクＯＤ２の情報記録面に結像するように、第２の対物レンズＯＢＪ２をレンズホルダＬＨごと移動させるように、アクチュエータＡＣＴを駆動する。【００６４】
第３の光ディスクＯＤ３に対して情報の記録及び／又は再生を行う場合について説明する。かかる場合、不図示のアクチュエータによりアクチュエータベースＡＣＴＢが移動され、第２の対物レンズＯＢＪ２の光軸が、λ／４波長板ＱＷＰの光軸と一致するようになっているものとする。第２半導体レーザＬＤ２（波長λ２＝６００ｎｍ〜７００ｎｍ）から出射された光束は、第２コリメートレンズＣＬ２に入射して平行光束となる。第２コリメートレンズＣＬ２から出射した光束は第１ダイクロイックプリズムＤＰ１で反射され、回折格子Ｇを通過し、更に偏光ビームスプリッタＰＢＳ及びカップリングレンズＣＯＬを通過する。【００６５】
カップリングレンズＣＯＬを通過した１次回折光束は、λ／４波長板ＱＷＰを通過して、第２の対物レンズＯＢＪ２により集光されて、第３の光ディスクＯＤ３の保護層（厚さｔ３＝０．６ｍｍ）を介してその情報記録面に集光されここに集光スポットを形成する。【００６６】
そして情報記録面で情報ピットにより変調されて反射した光束は、再び第２の対物レンズＯＢＪ２、λ／４波長板ＱＷＰ、カップリングレンズＣＯＬを通過し、偏光ビームスプリッタＰＢＳで反射され、更にセンサレンズＳＬを通過し、光検出器ＰＤの受光面に入射するので、その出力信号を用いて、第３の光ディスクＯＤ３に情報記録された情報の読み取り信号が得られる。【００６７】
また、光検出器ＰＤ上でのスポットの形状変化、位置変化による光量変化を検出して、合焦検出やトラック検出を行う。この検出に基づいて、第２半導体レーザＬＤ２からの光束を第３の光ディスクＯＤ３の情報記録面に結像するように、第２の対物レンズＯＢＪ２をレンズホルダＬＨごと移動させるように、アクチュエータＡＣＴを駆動する。【００６８】
なお、第１の光ディスクＯＤ１〜第３の光ディスクＯＤ３が複層の情報記録面を有する場合、不図示の液晶素子を光路に挿入することで、いずれの情報記録面にも情報の記録及び／又は再生が可能となる。【００６９】
第１の対物レンズＯＢＪ１の光学面と第２の対物レンズＯＢＪ２の光学面を屈折面のみから形成することで、ガラス製であっても低コストで形成できるものとしている。更に、第１の対物レンズＯＢＪ１は、波長λ１の第１光束と第１の光ディスクＯＤ１の保護層ｔ１とに対して最適化して設計ができるので、第１の光ディスクＯＤ１に対して適切に情報の記録及び／又は再生を行うことができる。一方、第２の対物レンズＯＢＪ２は、波長λ１の第１光束と波長λ２の第２光束とに対して共通に用いられるが、第２の光ディスクＯＤ２の保護層ｔ２と、第３の光ディスクＯＤ３の保護層ｔ３とが同じである場合、保護層厚の差を考慮する必要がないので、設計が容易であり低コストなものとすることができる。なお、第１光束と第２光束の波長差に基づく色収差は、カップリングレンズＣＯＬの回折構造により適切に補正することができる。本実施の形態においては、対物レンズをのぞく光学系の構成要素を駆動する機構を持たないため、光ピックアップ装置の構成の簡素化を図れる。なお、情報記録面を複層とした光ディスクを用いる場合には、光路内に配置した液晶素子を適宜駆動することで、使用する層に集光スポットを形成すれば良い。【００７０】
更に、以上述べた実施の形態において、カップリングレンズＣＯＬの光学面に回折構造を設けることなく屈折面とし、その代わりに収差補正機構としての液晶素子を設けることもできる。かかる場合、液晶補正素子は、使用する第１〜第３光ディスクに応じて駆動され、通過する光束に異なる収差状態を与えることができる。又、上述した実施の形態では、第１の対物レンズＯＢＪ１と第２の対物レンズＯＢＪ２とを保持するレンズホルダＬＨを移動させることで、いずれかの対物レンズを光路内に挿入するようにしているが、その代わりに切り替え素子としての可動式のミラー等で光路を切り替えて、いずれかの対物レンズを光束が通過するようにしても良い。光源としては２つの半導体レーザを１パッケージに収容した、いわゆる２レーザ１パッケージ等を用いても良い。【００７１】
（第３の実施の形態）
次に、請求の範囲第４項に関わる発明について、同じく図２を用いて説明する。
光ディスクのトラックピッチの関係や、ピックアップ装置の概略構成については第２の実施の形態と同じであるので説明を省略する。
第３の実施の形態は、第２対物レンズＯＢＪ２の光学面上に、回折構造が設けられている点が、第２の実施の形態と大きく異なっている。この回折構造の作用については、第２の実施の形態におけるカップリングレンズ（又はコリメートレンズ）であるＣＯＬに設けられていたものと、機能は同じである。
また、第２の対物レンズＯＢＪ２に、波長λ３（λ３＝７００〜８００ｎｍ）の平行光束を入射させたときに、保護層厚ｔ４（ｔ４＝１．２ｍｍ）であり且つＤＶＤよりもトラックピッチが大きい第４光情報記録媒体としてのＣＤの情報記録面に形成される集光スポットにおいて、波面収差が０．０７λ３ｒｍｓ以上となる。即ち、この光ピックアップ装置においては、ＣＤに対して情報の記録及び／又は再生を適切に行うことができず、その代わりに光学系や駆動系を簡素化しており、この点では第１の実施の形態、第２の実施の形態と同様である。また入射光束の倍率を有限発散化することによって、理論上は、ＣＤの情報記録面に好適な集光スポットを、理論上は形成可能であるといった点についても同様であるが、これを実現しようとした場合に生じる問題は、第２の実施の形態において説明したものと同じである。【００７２】
第１の光ディスクＯＤ１に対して情報の記録及び／又は再生を行う場合は、第２の実施の形態と同じであるので説明を省略し、第２の光ディスクＯＤ２に対して情報の記録及び／又は再生を行う場合について説明する。かかる場合、不図示のアクチュエータによりアクチュエータベースＡＣＴＢが移動され、第２の対物レンズＯＢＪ２の光軸が、λ／４波長板ＱＷＰの光軸と一致するようになっているものとする。第２半導体レーザＬＤ２（波長λ２＝６００ｎｍ〜７００ｎｍ）から出射された光束は、第２コリメートレンズＣＬ２に入射して平行光束となる。第２コリメートレンズＣＬ２から出射した光束は第１ダイクロイックプリズムＤＰ１で反射され、回折格子Ｇを通過し、更に偏光ビームスプリッタＰＢＳ及びカップリングレンズＣＯＬを通過する。【００７３】
カップリングレンズＣＯＬを通過した光束は、λ／４波長板ＱＷＰを通過して、第２の対物レンズＯＢＪ２により集光作用と、回折作用を受けて、第２の光ディスクＯＤ２の保護層（厚さｔ２＝０．６ｍｍ）を介してその情報記録面に集光されここに集光スポットを形成する。ここでは２次回折光が集光スポットを形成している。【００７４】
そして情報記録面で情報ピットにより変調されて反射した光束は、再び第２の対物レンズＯＢＪ２、λ／４波長板ＱＷＰ、カップリングレンズＣＯＬを通過し、偏光ビームスプリッタＰＢＳで反射され、更にセンサレンズＳＬを通過し、光検出器ＰＤの受光面に入射するので、その出力信号を用いて、第２の光ディスクＯＤ２に情報記録された情報の読み取り信号が得られる。【００７５】
また、光検出器ＰＤ上でのスポットの形状変化、位置変化による光量変化を検出して、合焦検出やトラック検出を行う。この検出に基づいて、第２半導体レーザＬＤ２からの光束を第２の光ディスクＯＤ２の情報記録面に結像するように、第２の対物レンズＯＢＪ２をレンズホルダＬＨごと移動させるように、アクチュエータＡＣＴを駆動する。【００７６】
第３の光ディスクＯＤ３に対して情報の記録及び／又は再生を行う場合について説明する。かかる場合、不図示のアクチュエータによりアクチュエータベースＡＣＴＢが移動され、第２の対物レンズＯＢＪ２の光軸が、λ／４波長板ＱＷＰの光軸と一致するようになっているものとする。第２半導体レーザＬＤ２（波長λ２＝６００ｎｍ〜７００ｎｍ）から出射された光束は、第２コリメートレンズＣＬ２に入射して平行光束となる。第２コリメートレンズＣＬ２から出射した光束は第１ダイクロイックプリズムＤＰ１で反射され、回折格子Ｇを通過し、更に偏光ビームスプリッタＰＢＳ及びカップリングレンズＣＯＬを通過する。【００７７】
カップリングレンズＣＯＬを通過した光束は、λ／４波長板ＱＷＰを通過して、第２の対物レンズＯＢＪ２により集光作用と、回折作用を受けて、第３の光ディスクＯＤ３の保護層（厚さｔ３＝０．６ｍｍ）を介してその情報記録面に集光されここに集光スポットを形成する。ここでは１次回折光が集光スポットを形成している。【００７８】
そして情報記録面で情報ピットにより変調されて反射した光束は、再び第２の対物レンズＯＢＪ２、λ／４波長板ＱＷＰ、カップリングレンズＣＯＬを通過し、偏光ビームスプリッタＰＢＳで反射され、更にセンサレンズＳＬを通過し、光検出器ＰＤの受光面に入射するので、その出力信号を用いて、第３の光ディスクＯＤ３に情報記録された情報の読み取り信号が得られる。【００７９】
また、光検出器ＰＤ上でのスポットの形状変化、位置変化による光量変化を検出して、合焦検出やトラック検出を行う。この検出に基づいて、第２半導体レーザＬＤ２からの光束を第３の光ディスクＯＤ３の情報記録面に結像するように、第２の対物レンズＯＢＪ２をレンズホルダＬＨごと移動させるように、アクチュエータＡＣＴを駆動する。【００８０】
なお、第１の光ディスクＯＤ１〜第３の光ディスクＯＤ３が複層の情報記録面を有する場合、不図示の液晶素子を光路に挿入することで、いずれの情報記録面にも情報の記録及び／又は再生が可能となる。【００８１】
第１の対物レンズＯＢＪ１の光学面を屈折面のみから形成することで、ガラス製であっても低コストで形成できるものとしている。更に、第１の対物レンズＯＢＪ１は、波長λ１の第１光束と第１の光ディスクＯＤ１の保護層ｔ１とに対して最適化して設計ができるので、第１の光ディスクＯＤ１に対して適切に情報の記録及び／又は再生を行うことができる。一方、第２の対物レンズＯＢＪ２は、波長λ１の第１光束と波長λ２の第２光束とに対して共通に用いられ、屈折面上に回折構造を設けているが、第２の光ディスクＯＤ２の保護層ｔ２と、第３の光ディスクＯＤ３の保護層ｔ３とが同じである場合、保護層厚の差を考慮する必要がないので、設計が容易であり低コストなものとすることができる。なお、第１光束と第２光束の波長差に基づく色収差は、対物レンズに設けた回折構造により適切に補正することができる。本実施の形態においては、対物レンズをのぞく光学系の構成要素を駆動する機構を持たないため、光ピックアップ装置の構成の簡素化を図れるが、必要に応じてたとえばコリメータＣＯＬを駆動可能としてもよい。具体的には、第２の対物レンズＯＢＪ２の回折構造の作用を補佐し、あるいは回折構造がより微細になることを避けるため、カップリングレンズＣＯＬの光軸方向位置を、第２の光ディスクＯＤ２を記録再生する場合と、第３の光ディスクＯＤ３を記録再生する場合とで異なった位置にすることが好ましい。【００８２】
また、第２の対物レンズＯＢＪ２の回折構造のみで色収差を補正することができる場合は、収差補正機構は他の要因をより好ましく補正するために用いることができる。他の要因としては、たとえば、製造ロットによる、レーザーダイオード各個体の発振波長の差（いわゆる波長特性）や、使用に伴って温度が上昇することに起因する収差の補正（温度補正）を好ましく行うように構成可能である。【００８３】
さらに、情報記録面を複層とした光ディスクを用いる場合には、光路内に配置した液晶素子を適宜駆動することで、使用する層に集光スポットを形成すれば良い。【００８４】
更に図３は、別な形態にかかるレンズホルダ駆動部の斜視図である。図３に示されるレンズユニットＯＵ’は、図１、２の光ピックアップ装置に配置することができ、半導体レーザからのレーザ光を、異なる光ディスクの情報記録面上にそれぞれ集光する対物レンズＯＢＪ１（第１の対物光学素子）、ＯＢＪ２（第２の対物光学素子）と、これらの対物レンズＯＢＪ１，ＯＢＪ２の光軸を，同一円周ＰＣ上に保持するレンズホルダＬＨと、このレンズホルダＬＨを円周ＰＣの中心軸の位置に設けられた支軸ＳＨを介して回転自在に且つこの回転の中心軸に沿って往復移動自在に保持するアクチュエータベースＡＣＴＢと、レンズホルダＬＨを支軸ＳＨに沿った方向に往復移動させるフォーカシングアクチュエータ（図示略）と、レンズホルダＬＨに回転動作を付勢して各対物レンズＯＢＪ１，ＯＢＪ２の位置決めを行うトラッキングアクチュエータＴＡとを備えている。このレンズユニットＯＵ’には、各アクチュエータの動作制御を行う動作制御回路（図示略）が設けられている。【００８５】
対物レンズＯＢＪ１，ＯＢＪ２は、それぞれ円板状のレンズホルダＬＨの平板面を貫通した孔部に装備されており、レンズホルダＬＨの中心からそれぞれ等しい距離で配設されている。このレンズホルダＬＨは、その中心部でアクチュエータベースＡＣＴＢから立設された支軸ＳＨの上端部と回転自在に係合しており、この支軸ＳＨの下方には、図示を省略したフォーカシングアクチュエータが配設されている。【００８６】
即ち、このフォーカシングアクチュエータは、支軸ＳＨの下端部に設けられた永久磁石とこの周囲に設けられたコイルとにより電磁ソレノイドを構成し、コイルに流す電流を調節することにより、支軸ＳＨ及びレンズホルダＬＨに対して当該支軸ＳＨに沿った方向（図３における上下方向）への微小単位での往復移動を付勢し，焦点距離の調整を行うようになっている。【００８７】
また、前述したようにこのレンズホルダＬＨは、トラッキングアクチュエータＴＡによって、光軸と平行な軸線を有する支軸ＳＨを中心とした回動動作が付与される。このトラッキングアクチュエータＴＡは、レンズホルダＬＨの端縁部に支軸ＳＨを挟んで対称に設けられた一対のトラッキングコイルＴＣＡ，ＴＣＢと、レンズホルダＬＨの端縁部に近接してアクチュエータベースＡＣＴＢ上の支軸ＳＨを挟んで対称となる位置にそれぞれ設けられた二組の対を成すマグネットＭＧＡ，ＭＧＢ，ＭＧＣ，ＭＧＤとを備えている。【００８８】
そして、トラッキングコイルＴＣＡ，ＴＣＢが、一方の対を成すマグネットＭＧＡ，ＭＧＢと個々に対向するときには、対物レンズＯＢＪ１がレーザ光の光路上となるように、マグネットＭＧＡ，ＭＧＢの位置が設定されており、また、マグネットＭＧＣ，ＭＧＤと個々に対向するときには、対物レンズＯＢＪ２がレーザ光の光路上となるように、マグネットＭＧＣ，ＭＧＤの位置が設定されている。【００８９】
また、上述のレンズホルダＬＨには、トラッキングコイルＴＣＡとマグネットＭＧＢ又はマグネットＭＧＤ，及びトラッキングコイルＴＣＢとマグネットＴＧＡ又はマグネットＴＧＣとが対向することがないように、その回動範囲を制限する図示しないストッパが設けられている。【００９０】
さらに、トラッキングアクチュエータＴＡは、円形のレンズホルダＬＨの外周の接線方向が光ディスクのトラックの接線方向と直交するように配設され、このレンズホルダＬＨに微小単位で回動動作を付勢することによりレーザ光のトラックに対する照射位置のズレの補正を行うためのものである。そのため、このトラッキング動作を行うために、例えば、各トラッキングコイルＴＣＡ、ＴＣＢが各マグネットＭＧＡ，ＭＧＢと対向した状態を保持しながら微妙にレンズホルダＬＨに回動を付勢する必要が生じる。【００９１】
かかるトラッキング動作を行うために、各トラッキングコイルＴＣＡ，ＴＣＢには、その内側に鉄片が装備されており、この鉄片が各マグネットに引き寄せられながら、これら各マグネットとの間に微妙な斥力を生じるように各トラッキングコイルＴＣＡ，ＴＣＢに電流を流す制御が動作制御回路によって行われる構成となっている。【００９２】
なお、第２の対物レンズＯＢＪ２が第２の光ディスク（ＨＤ  ＤＶＤ）および第３の光ディスク（ＤＶＤ）の両方に対応するようになっているが、屈折面のみから構成される場合も、回折面を有する場合も、最適化される光ディスクを適宜選定できる。第２の光ディスク（ＨＤ  ＤＶＤ）に最適化した場合は、収差補正機構や回折面の作用によって、第３の光ディスク（ＤＶＤ）に対応するようにすればよい。この場合はＨＤ  ＤＶＤに対して、より良好な集光スポット形成を行いやすいという利点がある。またその逆も可である。【００９３】
またこれら２つの中間の基板厚を選定し、その基板厚に最適な光学面を設計しておき、あとは収差補正機構や回折面の作用によって、両方の光ディスクに対応する場合は、対物レンズに回折構造を設け、そのどちらからも０でない次数の回折光を発生させて集光スポットを形成する場合に好ましく用いられる。
（実施例）
以下、第１の実施の形態、第２の実施の形態に好適な実施例について説明する。【００９４】
これらの形態では、第１の対物レンズＯＢＪ１として、本出願人による米国特許６４１１４４２号、同じく米国特許６５１２６４０号（いずれも日本国優先権、出願番号特願平１１−２４７２９４号、特願平２０００−６０８４３号）に掲載されている設計を好ましく用いることができる。【００９５】
また第２の対物レンズＯＢＪ２として、本出願人による特開２００４−１０１８２３号の設計を用いることができる。【００９６】
なお、特開２００４−１０１８２３号に掲載されているＨＤ  ＤＶＤ用対物レンズには、波長特性補正用の回折構造が設けられているが、この色補正機能をないものとして、屈折面のみからなる光学設計をすることは、公知の技術によって可能である。【００９７】
次に、第３の実施の形態に好適な実施例について説明する。尚、これ以降（表のレンズデータ含む）において、１０のべき乗数（例えば、２．５×１０−３）を、Ｅ（例えば、２．５×Ｅ―３）を用いて表すものとする。【００９８】
対物光学系の光学面は、それぞれ数１式に、表に示す係数を代入した数式で規定される、光軸の周りに軸対称な非球面に形成されている。ここで、光軸方向位置をＸとし、光軸に垂直な方向の高さをｈ、光学面の曲率半径をｒ、円錐係数をκ、非球面係数をＡ２ｉとする。  【００９９】
【数１】
2007055166.tif 000003
【０１００】
また、回折構造（位相構造）を用いる場合、それにより各波長の光束に対して与えられる光路差は、数２式の光路差関数に、表に示す係数を代入した数式で規定される。即ち、光路差関数ΦＢ（ｍｍ）は、光軸に垂直な方向の高さをｈ、回折次数をｍ、使用波長（半導体レーザの出射波長）をλ、ブレイズド化波長をλＢ、光路差関数係数をＣとしたとき、数２式で表される。【０１０１】
【数２】
2007055166.tif 000004
【０１０２】
第１の対物レンズＯＢＪ１のレンズデータ（対物レンズの焦点距離、像面側開口数、倍率を含む）を表１に示す。第１の対物レンズの光学面は、屈折面のみから形成されている。【０１０３】
【表１】
2007055166.tif 000005
【０１０４】
第２の対物レンズＯＢＪ２のレンズデータ（対物レンズの焦点距離、像面側開口数、倍率を含む）を表２に、非球面データを表３に示す。第２の対物レンズの光学面には、屈折面に加えて回折構造が設けられている。また、この例では、カップリングレンズの倍率を変更することによって、より良好な集光スポット形成が行われるようになっている。
なお、前述の通り、ＣＤに対しては好適な集光スポットが形成できない。表２及び表３に示す第２の対物レンズＯＢＪ２に、波長λ３（λ３＝７００〜８００ｎｍ）の平行光束を入射させたときに、保護層厚ｔ４（ｔ４＝１．２ｍｍ）であり且つＤＶＤよりもトラックピッチが大きいＣＤの情報記録面に形成される集光スポットにおいて、波面収差は０．１７８λ３ｒｍｓである。【０１０５】
【表２】
2007055166.tif 000006
【０１０６】
【表３】
2007055166.tif 000007
【図１】
2007055166.tif 000008
【図２】
2007055166.tif 000009
【図３】
2007055166.tif 000010
【国際調査報告】
2007055166.tif 000011
2007055166.tif 000012
2007055166.tif 000013
2007055166.tif 000014